(57)【要約】【課題】偏光ガラスを好適に利用する。【解決手段】電気光学装置（１）は、互いに対向して配置される一対の基板（１０、２０）と、一対の基板間に挟持される電気光学物質（５０）と、一対の基板のうち少なくとも電気光学物質の光出射側に位置する一方の基板（２０）の電気光学物質に対向しない側に積層される偏光ガラス層（２００）と、一方の基板と偏光ガラス層とを接着する接着層（３００）とを備えており、接着層の屈折率は、偏光ガラス層の屈折率と同一である。【選択図】図３
2009058620.tif 000002
【特許請求の範囲】
【請求項１】
互いに対向して配置される一対の基板と、
前記一対の基板間に挟持される電気光学物質と、
前記一対の基板のうち少なくとも前記電気光学物質の光出射側に位置する一方の基板の前記電気光学物質に対向しない側に積層される偏光ガラス層と、
前記一方の基板と前記偏光ガラス層とを接着する接着層と
を備えており、
前記接着層の屈折率は、前記一方の基板または前記偏光ガラス層の屈折率と同一であることを特徴とする電気光学装置。
【請求項２】
前記偏光ガラス層と前記一方の基板とは、前記接着層により直接接着されていることを特徴とする請求項１に記載の電気光学装置。
【請求項３】
前記偏光ガラス層における前記一方の基板に対向する側の表面上に積層される位相差板又は位相差膜を含む位相差層を更に備え、
前記偏光ガラス層は、前記位相差層と前記一方の基板とが前記接着層により直接接着されることにより、前記一方の基板に接着され、接着層の屈折率は、前記一方の基板の屈折率と同一であることを特徴とする請求項１に記載の電気光学装置。
【請求項４】
前記一対の基板のうち前記一方の基板とは異なる他方の基板の前記電気光学物質に対向しない側に積層される他の偏光ガラス層を更に備えることを特徴とする請求項１から３のいずれか一項に記載の電気光学装置。
【請求項５】
前記偏光ガラス層の表面に対して、所定のコーティング処理が施されていることを特徴とする請求項１から４のいずれか一項に記載の電気光学装置。
【請求項６】
請求項１から６のいずれか一項に記載の電気光学装置を備えることを特徴とする電子機器。
【発明の詳細な説明】
【技術分野】
【０００１】
本発明は、例えば液晶装置等の電気光学装置及びこのような電気光学装置を備える電子機器の技術分野に関する。
【背景技術】
【０００２】
電気光学装置として、携帯電話や、携帯情報端末や、パーソナルコンピュータや、その他各種電子機器等に広く用いられている液晶装置がある。このような液晶装置として、特許文献１及び２には、液晶を挟持する一対の基板（つまり、ＴＦＴアレイ基板や対向基板）として、ガラス自体に偏光板と同じ機能を持たせた偏光ガラスを用いる液晶装置が開示されている。これにより、偏光板を基板上に別途設ける必要がなくなるため、液晶装置の薄型化を実現することができる。
【０００３】
【特許文献１】特開２００６−３２３１１９号公報
【特許文献２】特開２００６−１８１６１号公報
【発明の開示】
【発明が解決しようとする課題】
【０００４】
しかしながら、一対の偏光ガラスを一対の基板として用いているがゆえに、位相差膜又は位相差板を形成するためには、偏光ガラスの液晶を挟持する側の表面に位相差膜又は位相差板を形成する必要がある。そして、その後、位相差膜又は位相差板が形成された偏光ガラス上に、各種電極や各種駆動回路等を形成していく必要がある。しかしながら、各種電極や各種駆動回路等を形成していく工程において、例えば高温処理や低温処理などの熱処理等を伴う該工程が位相差膜又は位相差板に対して悪影響（例えば、剥離や変形や傷等）を与えかねない。その結果、位相差膜又は位相差板が補償する位相差値が変動したり或いは位相差膜又は位相差板自体に欠陥が生じかねない。このため、形成した位相差膜又は位相差板が本来意図されているとおりの効果を発揮することができず、屈折率異方性による悪影響を排除できないという技術的な問題点を有している。言い換えれば、このような一対の偏光ガラスを一対の基板として単に用いるのみでは、液晶装置の実用性が小さくなってしまいかねない又は殆どなくなってしまいかねないという技術的な問題点を有している。
【０００５】
本発明は、例えば上述した従来の問題点に鑑みなされたものであり、例えば偏光ガラスを好適に利用した電気光学装置及び電子機器を提供することを課題とする。
【課題を解決するための手段】
【０００６】
（電気光学装置）
上記課題を解決するために、本発明の電気光学装置は、互いに対向して配置される一対の基板と、前記一対の基板間に挟持される電気光学物質と、前記一対の基板のうち前記電気光学物質の光出射側に位置する一方の基板の前記電気光学物質に対向しない側に積層される偏光ガラス層と、前記一方の基板と前記偏光ガラス層とを接着する接着層とを備えており、前記接着層の屈折率は、前記一方の基板または前記偏光ガラス層の屈折率と同一である。
【０００７】
本発明の電気光学装置によれば、一対の基板と、該一対の基板間に挟持されている液晶等の電気光学物質とを含む電気光学パネルを備えている。そして、一対の基板上（特に、一対の基板の夫々の電気光学物質に対向する側の表面上）に形成される各種電極や各種駆動回路を用いて、電気光学物質の状態を変化させることができる。これにより、電気光学装置を、例えば透過型表示、反射型表示又は半透過反射型表示を行う、典型的には直視型の或いは投射型の各種表示装置等として利用することができる。
【０００８】
本発明では特に、一対の基板のうち電気光学物質の光出射側に位置する（つまり、電気光学物質から見て、光が出射する側に位置する）一方の基板に、偏光ガラス層が積層される。特に、偏光ガラス層は、一方の基板両側の面のうち電気光学物質に対向しない側（言い換えれば、一方の基板の外側）の面が存在する側に積層される。つまり、偏光ガラス層は、電気光学パネルの外部に、一方の基板と対向するように積層される。ここで、「一方の基板」は、例えば電気光学装置が直視型の表示装置等として利用される場合には、電気光学装置が通常の使用態様で使用されているときに想定される観察者の側から見て相対的に近い側又は手前側に位置する基板を示す趣旨である。或いは、「一方の基板」は、例えば電気光学装置が投射型の表示装置等として利用される場合には、電気光学装置が通常の使用態様で使用されているときに光源から出射される光が電気光学物質を透過し且つ出射していく側（或いは、液晶装置から出射される光が投影されるスクリーンが配置される側）に位置する基板である。また、「偏光ガラス層」は、例えば層状の又は板状の偏光ガラスから構成される又は該偏光ガラスを含む層である。また、「偏光ガラス」とは、ガラス自体に、特定の偏光を透過させ、その他の偏光を透過させない機能を持たせたガラスを意味している。このような偏光ガラスは、例えば、ガラスに金属微粒子を含有させることにより形成される。
【０００９】
このような偏光ガラス層は、例えば光学接着樹脂を含む接着層を一方の基板との間に介在させて積層される。ここで、偏光ガラス層は、接着層により一方の基板の表面上に直接的に接着されるように積層されてもよい。或いは、偏光ガラス層上に形成された例えば後述する位相差層のような他の素子層と一方の基板とを接着層により直接接着することにより、偏光ガラス層が一方の基板に対して間接的に接着されるように積層されてもよい。いずれにせよ、偏光ガラス層（或いは、他の素子層が形成された偏光ガラス層）は、接着層により一方の基板に接着される。また、接着層の屈折率は、一方の基板又は偏光ガラス層の屈折率と同一である。ここに、本発明における「同一」とは、文字通り全く同一である状態のみならず、光学的に見て実質的には同一と同視し得る状態（言い換えれば、偏光ガラス層若しくは一方の基板及び接着層を透過する光に対して実質的には同一の屈折率となり得る状態）をも含む広い趣旨である。
【００１０】
このように、本発明の電気光学装置では、一方の基板上に偏光ガラス層を積層している。特に、電気光学装置を直視型の表示装置等として用いる場合には、偏光ガラス層を観察者から見て相対的に近い側に位置するように配置することで、偏光ガラス層をカバーガラスとしても使用することができる。このため、カバーガラスを別途積層させる必要はなくなる。このため、偏光板とカバーガラスとを別個に備える電気光学装置と比較して、電気光学装置の一層の薄型化及び一層の軽量化を実現することができるとともに、カバーガラスと偏光板の対向するそれぞれの界面での反射による表示品質の低下をなくすことが出来る。
【００１１】
また、接着層の屈折率が一方の基板又は偏光ガラス層の屈折率と同一であるため、界面での光の反射や散乱等を抑制することができる。その結果、例えば表示装置として用いられる電気光学装置の表示特性を悪化させることなく、高品位な視認性を確保することができる。
【００１２】
加えて、偏光ガラス層が一対の基板の外部（つまり、電気光学パネルの外部）に積層されているため、位相差層（例えば、位相差板や位相差膜）を、一対の基板の外部に形成することができる。言い換えれば、位相差層を、一対の基板の内部（つまり、電気光学パネルの内部）に形成する必要はない。従って、電気光学パネルの内部における各種電極や各種駆動回路等の製造に起因して位相差値が変動するないしは位相差層に欠陥が生ずる不都合を好適に排除することができる。逆に言えば、偏光ガラス層及びその上に形成される位相差膜や位相差板等の光学部材は、それらの形成後に、例えば半導体素子形成時における低温処理或いは高温処理、スパッタリング、蒸着、エッチング等の各種工程に耐える必要はなくて済む。このため、偏光ガラス層の採用によって、該光学部材に関する材料選択の自由度が狭まることはない。従って、偏光ガラスを用いながら、実用性のある電気光学装置を実現することができる。つまり、偏光ガラスを好適に利用した電気光学装置を実現することができる。
【００１３】
加えて、偏光ガラス層を基板として用いる必要がないため、偏光ガラス層上に各種電極や各種駆動回路等を形成する必要はない。つまり、電気光学パネルを製造した後に（或いは、一対の基板のうちの一方の基板上に各種電極等を形成した後に）、これらの製造工程とは別個に偏光ガラス層を基板上に積層させればよい。従って、製造工程を大きく変えることなく或いは偏光ガラス層を積層する工程において電気光学パネルの製造時の各種条件ないしは各種環境をそれほど考慮することなく、比較的容易に偏光ガラス層を積層させることができる。
【００１４】
更に、電気光学パネルを薄型化する方法として、相対的に厚いガラス（つまり、本発明において一方の基板）の状態で電気光学パネルの内部における各種電極や各種駆動回路等を製造した後に、エッチングあるいは機械的研磨等を施すことで、厚みの薄いガラスを形成するのが一般的である。この場合、ガラスの表面には、細かい凹凸（言い換えれば、キズ等）が形成され得る。この凹凸は、電気光学装置の表示品質の低下や強度の低下等を起こすことがあり好ましくない。しかるに、本発明によれば、偏光ガラス層が接着層により接着されるため、接着層を構成する光学樹脂等が凹凸に充填される。このため、凹凸を好適に補修しながら、偏光ガラス層を一方の基板上に積層させることができる。この場合に、接着層の屈折率を一方の基板と同じにすると、細かい凹凸をほとんど見えないようにすることが出来る。また、一方の基板をエッチングあるいは機械研磨等により薄くする以外に偏光ガラスをエッチングにより薄くすることにより電気光学パネルを薄型化することも可能である。この場合にも細かい凹凸を接着層により補修し、ほとんど見えないようにすることができるのは、同様である。
【００１５】
本発明の電気光学装置の一の態様では、前記偏光ガラス層と前記一方の基板とは、前記接着層により直接接着されている。
【００１６】
この態様によれば、偏光ガラス層は、接着層により一方の基板の電気光学物質に対向しない側の表面上に直接的に接着されるように積層される。
【００１７】
本発明の電気光学装置の他の態様では、前記偏光ガラス層における前記一方の基板に対向する側の表面上に積層される位相差板又は位相差膜を含む位相差層を更に備え、前記偏光ガラス層は、前記位相差層と前記一方の基板とが前記接着層により直接接着されることにより、前記一方の基板に接着され、前記接着層の屈折率は、前記一方の基板の屈折率と同一である。
【００１８】
この態様によれば、偏光ガラス層上に形成された位相差層と一方の基板とを接着層により接着することにより、偏光ガラス層が一方の基板に間接的に接着されるように積層されてもよい。このような位相差層としては、板状の位相差板や膜状の位相差膜が一例としてあげられる。例えば位相差層が位相差板である場合には、位相差板は、接着層により偏光ガラス層の一方の基板に対向する側の表面に接着されることが好ましい。或いは、例えば位相差層が位相差膜である場合には、位相差膜は、偏光ガラス層の一方の基板に対向する側の表面上に塗布ないしは形成されることが好ましい。これにより、位相差膜や位相差板を使用している場合にも、上述した各種利益を享受できる。
【００１９】
尚、この場合、接着層は、一方の基板とは直接接しているので、一方の基板の表面に形成される凹凸は補修できるが、偏光ガラス層と直接的に接しないため、接着層により偏光ガラス層の表面に形成される凹凸を補修することができない。しかし、位相差層が位相差板であれば、偏光ガラス層と位相差層とは、何らかの接着層を介して接着される。このため、接着層により、凹凸を好適に補修することができる。一方で、位相差層が位相差膜であれば、位相差膜自身が凹凸を好適に補修することができる。
【００２０】
本発明の電気光学装置の他の態様では、前記一対の基板のうち前記一方の基板とは異なる他方の基板の前記電気光学物質に対向しない側に積層される他の偏光ガラス層を更に備える。
【００２１】
この態様によれば、電気光学パネルを挟持する一対の偏光ガラス層を備える。従って、一方の基板側のみならず、他方の基板側においても、上述した各種効果（或いは、その一部）を享受することができる。
【００２２】
尚、「他方の基板」は、例えば電気光学装置が直視型の表示装置等として利用される場合には、電気光学装置が通常の使用態様で使用されているときに想定される観察者の側から見て相対的に遠い側又は奥側に位置する基板を示す趣旨である。或いは、「他方の基板」は、例えば電気光学装置が投射型の表示装置等として利用される場合には、電気光学装置が通常の使用態様で使用されているときに光源から出射される光が電気光学物質に入射する側に位置する基板である。
【００２３】
尚、他方の基板側においては、必ずしも偏光ガラス層を備えていなくともよい。この場合、他方の基板側においては、例えば偏光子ないしは偏光膜を一対の保護層で挟持する、いわゆる偏光板が用いられてもよい。この場合であっても、少なくとも一方の基板側において偏光ガラス層が積層されていれば、上述した効果を享受することができることは言うまでもない。
【００２４】
本発明の電気光学装置の他の態様では、前記偏光ガラス層の表面に対して、所定のコーティング処理が施されている。
【００２５】
この態様によれば、偏光ガラス層の表面（具体的には、例えば、一方の基板と対向しない側の表面）に、例えばＡＲ（Anti Reflection）コーティング処理や、ＡＧ（Anti Glare）コーティング処理や、ハードコーティング処理等を施すことができる。このため、偏光ガラス層をカバーガラスとして使用した場合に、最表面にＡＲやＡＧのコートがされていることとなり、最表面での外光の反射を抑制でき、表示品質を向上することができる。また、通常のカバーガラスでは樹脂材料を使用しているために、温度等の製造上の制約により表面処理に制約が生じるが、偏光ガラス上に表面処理を行うため、効果の高い表面処理や耐久性のある表面処理とすることができる。従って、カバーガラスを別途形成する必要がなくなるため、上述したように、薄型化・軽量化を図るとともに表示品質を向上することができる。
【００２６】
（電子機器）
上記課題を解決するために、本発明の電子機器は、上述した本発明の電気光学装置（但し、その各種態様を含む）を備える。
【００２７】
本発明の電子機器によれば、上述した本発明の電気光学装置（或いは、その各種態様）備えているため、偏光ガラスを用いながら、実用性を低下させることなく、薄型化や軽量化を実現することができる。このため、小型化に適した投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００２８】
本発明の作用及び他の利得は次に説明する実施の形態から更に明らかにされよう。
【発明を実施するための最良の形態】
【００２９】
以下、本発明を実施するための最良の形態を、図面に基づいて説明する。以下の実施形態は、本発明の電気光学装置を液晶装置に適用したものである。
【００３０】
（１）第１実施形態
初めに、図１から図３を参照して、第１実施形態に係る液晶装置について説明する。
【００３１】
（１−１）液晶パネルの基本構成
先ず、第１実施形態に係る液晶装置を構成する液晶パネルの構成について、図１及び図２を参照して説明する。図１は、第１実施形態に係る液晶パネルの構成を示す平面図であり、図２は、図１のＨ−Ｈ’断面図である。尚、図１には、後に詳述する偏光ガラス等は配置されておらず、間に液晶を挟持してなる一対の基板からなる液晶パネルのみが示されている。
【００３２】
図１及び図２において、第１実施形態に係る液晶装置１を構成する液晶パネル１００では、第１発明に係る「一対の基板」の一例としてのＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置する枠状或いは額縁状のシール領域に設けられたシール材５２により互いに貼り合わされている。
【００３３】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。但し、データ線駆動回路１０は、シール領域よりも内側に、データ線駆動回路１０１が額縁遮光膜５３に覆われるようにして設けられていてもよい。この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３４】
ＴＦＴアレイ基板１０上には、外部回路接続端子１０２と、データ線駆動回路１０１、走査線駆動回路１０４、上下導通端子１０６等とを電気的に接続するための引回配線９０が形成されている。
【００３５】
図２において、ＴＦＴアレイ基板１０上には、駆動素子である画素スイッチング用のＴＦＴ（Thin Film Transistor）や走査線、データ線等の配線が作り込まれた積層構造が形成されている。画像表示領域１０ａには、画素スイッチング用ＴＦＴや走査線、データ線等の配線の上層に画素電極９ａがマトリクス状に設けられている。画素電極９ａ上には、配向膜８が形成されている。他方、対向基板２０におけるＴＦＴアレイ基板１０との対向面上に、遮光膜２３が形成されている。遮光膜２３は、例えば遮光性金属膜等から形成されており、対向基板２０上の画像表示領域１０ａ内で、例えば格子状等にパターニングされている。そして、遮光膜２３上に、ＩＴＯ等の透明材料からなる対向電極２１が複数の画素電極９ａと対向してベタ状に形成されている。対向電極２１上には配向膜８が形成されている。また、液晶層５０は、例えば一種又は数種類のネマティック液晶を混合した液晶からなり、これら一対の配向膜間で、所定の配向状態をとる。
【００３６】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００３７】
加えて、液晶装置１は、画素電極９ａをＩＴＯ等から形成するなどにより、透過型表示を行うように構成されてもよいし、画素電極９ａをアルミニウム等から形成するなどにより或いは画素電極９ａの背後に反射膜を配置するなどにより、反射型表示を行うように構成されてもよい。更に、画素電極９ａに反射領域及び透過領域の両者を設けるなどにより、半透過反射型表示を行うように構成されてもよい。また直視型の場合には、観察者から見た液晶装置１の背後にバックライトが適宜配置される。
【００３８】
（１−２）液晶装置の構成
続いて、図３を参照して、第１実施形態に係る液晶装置の構成（特に、（特に、液晶パネル１００と偏光ガラスとの位置関係）について説明する。ここに、図３は、第１実施形態に係る液晶装置の断面図である。尚、図３においては、説明の簡略化のために、液晶パネル１００の詳細な構成については記載を省略しており、対向基板２０と液晶層５０とＴＦＴアレイ基板１０のみを図示した液晶パネル１００を示している。
【００３９】
図３に示すように、第１実施形態に係る液晶装置１においては、液晶パネル１００を構成するＴＦＴアレイ基板１０及び対向基板２０のうち液晶層５０から光が出射する側に位置する対向基板２０の表面上に、偏光ガラス２００が積層される。例えば、液晶装置１が携帯電話やノートパソコン等の直視型の表示装置として使用される場合には、当該液晶装置１を使用するユーザの側から見て近い側（言い換えれば、手前側）側に位置する対向基板２０の表面上に、偏光ガラス２００が積層される。或いは、液晶装置１が液晶プロジェクタ等の投射型の表示装置として使用される場合には、典型的には図３中の下側に位置する不図示の光源から出射される光が液晶層５０から出射する側に位置する対向基板２０の表面上に、偏光ガラス２００が積層される。特に、第１実施形態では、偏光ガラス２００は、対向基板２０のうち液晶層５０に対向しない側の表面（つまり、図３における上側の表面）上に積層される。言い換えれば、偏光ガラス２００は、液晶パネル１００の外部において、対向基板２０上に積層される。
【００４０】
偏光ガラス２００は、本発明における「偏光ガラス層」の一具体例を構成しており、ガラス自体に、特定の偏光を透過させ、その他の偏光を透過させない機能を持たせたガラスを意味している。このような偏光ガラスは、例えば、ガラスに銀や銅等の金属微粒子或いはセレンやテルルやリンを主成分とする半導体ナノロッドを含有させることにより形成される。
【００４１】
偏光ガラス２００は、光学接着層３００により対向基板２０上に接着（言い換えれば、光学接着）されている。この光学接着層３００の屈折率は、偏光ガラス２００及びＴＦＴアレイ基板１０の少なくとも一方の屈折率と同一である又は概ね同一と同視し得る状態にある。
【００４２】
他方で、液晶パネル１００を構成するＴＦＴアレイ基板１０の表面上には、偏光板４００が積層される。例えば、液晶装置１が携帯電話やノートパソコン等の表示装置として使用される場合には、当該液晶装置１を使用するユーザの側から見て遠い側（言い換えれば、奥側）に位置するＴＦＴアレイ基板１０の表面上に、偏光板４００が積層される。或いは、液晶装置１が液晶プロジェクタ等の投射型表示装置として使用される場合には、典型的には図３の下側に位置する不図示の光源から出射される光が液晶層５０に入射する側に位置するＴＦＴアレイ基板１０の表面上に、偏光板４００が積層される。尚、偏光板４００は、ＴＦＴアレイ基板１０のうち液晶層５０に対向しない側の表面（つまり、図３における下側の表面）上に積層される。言い換えれば、偏光板４００は、液晶パネル１００の外部において、ＴＦＴアレイ基板１０上に積層される。
【００４３】
偏光板４００は、例えばポリビニルアルコール（ＰＶＡ）にヨウ素を吸着させることで生成される偏光子ないしは偏光膜と、該偏光子ないしは偏光膜を間に挟持するトリアセチルセルロース（ＴＡＣ）からなる一対の保護層とから構成されている。この偏光板４００は、例えば糊等を含む粘着層５００により、ＴＦＴアレイ基板１０と接着されている。
【００４４】
このように、第１実施形態の液晶装置１では、対向基板２０上に偏光ガラス２００を積層している。特に、液晶装置１を直視型の表示装置等として用いる場合には、ユーザから見て近い側に偏光ガラス２００を積層させるため、偏光ガラス層を偏光用途のみならずカバーガラスそのものとしても使用することができる。このため、カバーガラスを対向基板２０上に別途積層させる必要はなくなる。このため、偏光板とカバーガラスとを別個に備える液晶装置と比較して、液晶装置１の一層の薄型化及び一層の軽量化を実現することができる。更には、カバーガラスと偏光ガラス２００とが互いに対向する界面での反射が発生することがなくなるため、該界面での反射による表示品質の低下をなくすことが出来る。
【００４５】
また、光学接着層３００の屈折率が偏光ガラス２００及びＴＦＴアレイ基板１０の少なくとも一方の屈折率と同一であるため、光学接着層３００と偏光ガラス２００との間の界面（或いは、対向基板１０と偏光ガラス２００との間の界面）での光の反射や散乱等を抑制することができる。その結果、例えば表示装置として用いられる液晶装置１の表示特性を悪化させることなく、高品位な視認性を確保することができる。
【００４６】
加えて、偏光ガラス２００が液晶パネル１００の外部に積層されているため、後に詳述する液晶層５０に含まれる液晶が有する屈折率異方性による悪影響を排除するための位相差板や位相差膜を、液晶パネル１００の外部に形成することができる。言い換えれば、位相差板又は位相差膜を、液晶パネル１００の内部に形成する必要はない。従って、液晶パネル１００の内部における各種電極（例えば、画素電極９ａや対向電極２１等）や各種駆動回路（例えば、サンプリング回路７や走査線駆動回路１０４等）等の形成に起因して位相差板又は位相差膜が補償する位相差値が変動するないしは位相差板又は位相差膜に欠陥が生ずる不都合を好適に排除することができる。逆に言えば、偏光ガラス２００及びその上に形成される位相差膜や位相差板等の光学部材は、その形成後に、例えば液晶パネル１００を構成する各種電極や各種駆動回路の形成時における低温処理或いは高温処理、スパッタリング、蒸着、エッチング等の各種工程に耐える必要はなくて済む。このため、偏光ガラス２００の採用によって、該光学部材に関する材料選択の自由度が狭まることはない。従って、偏光ガラス２００を用いながら、実用性のある液晶装置１を実現することができる。つまり、偏光ガラス２００を好適に利用した液晶装置１を実現することができる。
【００４７】
加えて、偏光ガラス２００を対向基板２０そのもの（或いは、ＴＦＴアレイ基板１０そのもの）として用いる必要がないため、偏光ガラス２００上に各種電極や各種駆動回路等を形成する必要はない。つまり、液晶パネル１００を製造した後に（或いは、対向基板２０上に各種電極等を形成した後に）、これらの製造工程とは別個に偏光ガラス２００を対向基板２０上に積層させればよい。従って、製造工程（特に、液晶パネル１００の製造工程）を大きく変えることなく或いは偏光ガラス２００を積層する工程において液晶パネル１００の製造時の各種条件ないしは各種環境をそれほど考慮することなく、比較的容易に偏光ガラス２００を積層させることができる。
【００４８】
更に、液晶装置１を薄型化する方法として、相対的に厚いガラス（つまり、第１実施形態においては、ＴＦＴアレイ基板１０）の状態で液晶パネル１００の内部における各種電極や各種駆動回路等を形成した後に、エッチング或いは機械的研磨等を施すことで、厚みの薄いガラスを形成するのが一般的である。この場合、ガラスの表面には、細かい凹凸（言い換えれば、キズ等）が形成され得る。この凹凸は、液晶装置１の表示品質の低下や強度の低下等を起こすことがあるため好ましくない。しかるに、第１実施形態によれば、偏光ガラス２００が光学接着層３００により接着されるため、光学接着層３００を構成する光学樹脂等が凹凸に充填される。このため、凹凸を好適に補修しながら、偏光ガラス２００を対向基板２０上に積層させることができる。この場合に、光学接着層３００の屈折率をＴＦＴアレイ基板１０と同じにすると、細かい凹凸をほとんど見えないようにすることが出来る。また、ＴＦＴアレイ基板１０をエッチングあるいは機械研磨等により薄くする以外に偏光ガラス２００をエッチングにより薄くすることにより液晶装置１を薄型化することも可能である。この場合にも細かい凹凸を光学接着層３００により補修し、ほとんど見えないようにすることができるのは、同様である。
【００４９】
尚、偏光ガラス２００の厚さ（つまり、積層方向における厚さ）は、所定の強度（特に、液晶装置１の外部からの応力に対する強度）を保つことができる限りは、軽量化及び薄型化の観点から薄い方が好ましい。一方で、偏光ガラス２００の上に更にカバーガラスを形成してもよい。この場合、カバーガラスと偏光ガラス２００の双方により、所定の強度を保つことができればよい。
【００５０】
（１−３）液晶装置の製造方法
第１実施形態に係る液晶装置１は、以下のように製造される。先ず、上述したＴＦＴアレイ基板１０側の各種の構成要素（即ち、画素電極９ａ及び画素スイッチング用ＴＦＴや、走査線駆動回路１０４或いはデータ線駆動回路１０１など）を含む積層構造が、比較的大型のガラス基板やシリコン基板からなる第１マザー基板上に形成される。ここでは、１つの第１マザー基板上に複数のＴＦＴアレイ基板１０がマトリクス状に形成される多面取りを行うものとする。
【００５１】
他方、このようなＴＦＴアレイ基板１０を第１マザー基板上に形成する工程と相前後して或いは並行して、上述した対向基板２０側の各種の構成要素（対向電極２１、遮光膜２３など）を含む積層構造が、別の第２マザー基板上に形成される。ここでも、１つの第２マザー基板上に複数の対向基板２０がマトリクス状に形成される多面取りを行うものとする。
【００５２】
その後、貼合工程によって、第１マザー基板と第２マザー基板とを対向させて、例えば紫外線硬化樹脂や熱硬化樹脂等からなるシール材５２によって貼り合わせる。この際、第１マザー基板上における枠状のシール領域に所定の高さを有するシール材５２を形成し、このシール材５２の内側の領域に液晶層５０を構成する所定量の液晶を滴下した後に、第１マザー基板と第２マザー基板とを、シール材５２によって互いに貼り合せるように構成してもよい。即ち、所謂、液晶滴下貼り合わせ方式を採用してもよい。
【００５３】
貼り合せ及び液晶注入が完了した後に、第1マザー基板上に配列された複数の液晶装置に対して一括的に検査工程が適宜実施される。その後、第1マザー基板及び第２マザー基板に対して、ダイシングやスクライブを経て個々の液晶装置１に分断される。
【００５４】
この場合、第1マザー基板及び第２マザー基板が個々の液晶装置１に分断される前に、第２マザー基板上に形成される複数の対向基板２０を覆う程度に大判の偏光ガラスを第２マザー基板に貼り付けておき、第１マザー基板及び第２マザー基板並びに大判の偏光ガラスに対して、一括してダイシング等を行うように構成してもよい。これにより、１回のダイシング等を行えば、第１マザー基板及び第２マザー基板が分断されると同時に、大判の偏光ガラスが個々の液晶装置１に対応する偏光ガラス２００に分断されるため、製造工程の短縮を図ることができる。
【００５５】
或いは、第1マザー基板及び第２マザー基板が個々の液晶装置１に分断される前に、第２マザー基板上に形成される複数の対向基板２０の夫々のサイズに合わせて予め分断された偏光ガラス２００を第２マザー基板上の複数の対向基板２０の夫々に貼り付けておいてもよい。その後、第１マザー基板及び第２マザー基板に対して、一括してダイシング等を行うように構成してもよい。
【００５６】
或いは、第1マザー基板及び第２マザー基板が個々の液晶装置１に分断された後に、複数の対向基板２０の夫々のサイズに合わせて予め分断された偏光ガラス２００を、分断された個々の液晶装置１の対向基板２０に貼り付けるように構成してもよい。
【００５７】
尚、第２マザー基板については、貼り合わせ前に分断しておき、分断された多数の対向基板を一枚の第１マザー基板に対して夫々、貼り合わせるようにしてもよい。この場合、真空雰囲気にてシール材５２に設けられた液晶注入口に、液晶を滴下することで、基板間のスペースに液晶を真空注入することが可能となる。
【００５８】
或いは、シール材５２を、枠状のシール領域の一部において欠落させておき、貼り合わされた第１マザー基板１及び第２マザー基板を、液晶パネル毎に切断した後に、シール材５２が欠落された部分を注入口として液晶をＴＦＴアレイ基板１０及び対向基板２０間に注入するようにしてもよい。
【００５９】
（２）第２実施形態
続いて、図４を参照して、第２実施形態に係る液晶装置について説明する。ここに、図４は、第２実施形態に係る液晶装置の断面図である。尚、上述した第１実施形態に係る液晶装置１における構成と同一の構成については、同一の参照符号を付してその詳細な説明については省略する。
【００６０】
図４に示すように、第２実施形態に係る液晶装置１ａは、上述した第１実施形態に係る液晶装置１と同様に、液晶パネル１００と、対向基板２０の液晶層５０に対向しない側の表面に光学接着層３００を用いて積層される偏光ガラス２００とを備えている。
【００６１】
第２実施形態に係る液晶装置１ａでは特に、液晶パネル１００を構成するＴＦＴアレイ基板１０の表面上に、偏光ガラス２０１が積層される。例えば、液晶装置１が携帯電話やノートパソコン等の直視型の表示装置として使用される場合には、当該液晶装置１を使用するユーザの側から見て遠い側（言い換えれば、奥側）に位置するＴＦＴアレイ基板１０の表面上に、偏光ガラス２０１が積層される。或いは、液晶装置１が液晶プロジェクタ等の投射型の表示装置として使用される場合には、典型的には図４中の下側に位置する不図示の光源から出射される光が液晶層５０に入射する側に位置するＴＦＴアレイ基板１０の表面上に、偏光ガラス２００が積層される。偏光ガラス２０１は、ＴＦＴアレイ基板１０のうち液晶層５０に対向しない側の表面（つまり、図４における下側の表面）上に積層される。また、偏光ガラス２０１は、光学接着層３０１によりＴＦＴアレイ基板１０上に接着されている。この光学接着層３０１の屈折率は、偏光ガラス２０１の屈折率と同一である又は概ね同一と同視し得る状態にある。
【００６２】
このように、第２実施形態に係る液晶装置１ａによれば、液晶パネル１００が偏光ガラス２００と偏光板５００との間に挟持される構成に代えて、液晶パネル１００が一対の偏光ガラス（つまり、偏光ガラス２００と偏光ガラス２０１）の間に挟持される構成を採用している。このため、対向基板２０の側のみならず、ＴＦＴアレイ基板側１０の側においても、上述した各種効果（或いは、その少なくとも一部）を享受することができる。
【００６３】
（３）第３実施形態
続いて、図５を参照して、第３実施形態に係る液晶装置について説明する。ここに、図５は、第３実施形態に係る液晶装置の断面図である。尚、上述した第１実施形態に係る液晶装置１における構成と同一の構成については、同一の参照符号を付してその詳細な説明については省略する。
【００６４】
図５に示すように、第３実施形態に係る液晶装置１ｂは、上述した第１実施形態に係る液晶装置１と同様に、液晶パネル１００と、ＴＦＴアレイ基板１０の液晶層５０に対向しない側の表面に粘着層４００を用いて積層される偏光板５００とを備えている。
【００６５】
第３実施形態に係る液晶装置１ｂでは特に、偏光ガラス２００の対向基板１０に対向する側の表面に、粘着層６００を用いて、位相差板７００が積層されている。位相差板７００は、色を補償する物や視角によるコントラスト低下や色付きを補償する物、あるいは半透過表示において使われる１／４波長板等として使用される。ここで位相差板７００は１層として記載されているが、複数の位相差板が積層されたものを使用する場合もある。位相差板７００が積層された偏光ガラス２００は、位相差板７００と対向基板２０とが光学接着層３００により接着されるように、対向基板２０上に積層される。つまり、第３実施形態に係る液晶装置１ｂにおいては、偏光ガラス２００と対向基板２０との間に位相差板７００が挟みこまれている。
【００６６】
これにより、液晶層５０を透過することで発生する光の位相差を好適に補償することができる。更には、偏光ガラス２００が液晶パネル１００の外部に積層されているため、位相差板７００を、液晶パネル１００の外部に形成することができる。従って、液晶パネル１００の内部における各種電極や各種駆動回路等の形成に起因して位相差板７００が補償する位相差値が変動するないしは位相差板７００に欠陥が生ずる不都合を好適に排除することができる。
【００６７】
（４）第４実施形態
続いて、図６を参照して、第４実施形態に係る液晶装置について説明する。ここに、図６は、第４実施形態に係る液晶装置の断面図である。尚、上述した第１実施形態に係る液晶装置１における構成と同一の構成については、同一の参照符号を付してその詳細な説明については省略する。
【００６８】
図６に示すように、第４実施形態に係る液晶装置１ｃは、上述した第１実施形態に係る液晶装置１と同様に、液晶パネル１００と、ＴＦＴアレイ基板１０の液晶層５０に対向しない側の表面に粘着層４００を用いて積層される偏光板５００とを備えている。
【００６９】
第４実施形態に係る液晶装置１ｂでは特に、偏光ガラス２００の対向基板１０に対向する側の表面に、位相差膜８００が積層されている。ここでは、予めフィルム状に形成された位相差膜８００を、偏光ガラス２００の対向基板１０に対向する側の表面に貼り付けるように構成してもよい。或いは、液状の位相差膜材料を偏光ガラス２００の対向基板１０に対向する側の表面に均一に塗布又は噴霧することにより、位相差膜８００が積層されるように構成してよい。位相差膜８００が積層された偏光ガラス２００は、位相差板８００と対向基板２０とが対向するように、対向基板２０上に積層される。つまり、第４実施形態に係る液晶装置１ｃにおいては、偏光ガラス２００と対向基板２０との間に位相差膜８００が挟みこまれている。
【００７０】
これにより、液晶層５０を透過することで発生する光の位相差を好適に補償することができる。更には、偏光ガラス２００が液晶パネル１００の外部に積層されているため、位相差膜８００を、液晶パネル１００の外部に形成することができる。従って、液晶パネル１００の内部における各種電極や各種駆動回路等の形成に起因して位相差膜８００が補償する位相差値が変動するないしは位相差膜８００に欠陥が生ずる不都合を好適に排除することができる。
【００７１】
（５）第５実施形態
続いて、図７を参照して、第５実施形態に係る液晶装置について説明する。ここに、図７は、第５実施形態に係る液晶装置の断面図である。尚、上述した第１実施形態に係る液晶装置１における構成と同一の構成については、同一の参照符号を付してその詳細な説明については省略する。
【００７２】
図７に示すように、第５実施形態に係る液晶装置１ｄは、上述した第１実施形態に係る液晶装置１と同様に、液晶パネル１００と、対向基板２０の液晶層５０に対向しない側の表面に光学接着層３００を用いて積層される偏光ガラス２００と、ＴＦＴアレイ基板１０の液晶層５０に対向しない側の表面に粘着層４００を用いて積層される偏光板５００とを備えている。
【００７３】
第５実施形態に係る液晶装置１ｄでは特に、偏光ガラス２００の対向基板１０に対向しない側の表面に、コーティング層９００が形成されている。コーティング層９００は、例えば、偏光ガラス２００の表面における光の反射を抑制するためのＡＧ（Anti Reflection）コーティング層であってもよい。或いは、コーティング層９００は、例えば、反射型表示時における鏡面反射を防止したり、偏光ガラス２００の表面におけるギラツキを抑制するＡＧ（Anti Glare）コーティング層であってもよい。或いは、コーティング層９００は、例えば、偏光ガラス２００の表面におけるキズ等を防止したり又は強度を上げるためのハードコーティング層であってもよい。
【００７４】
このようにコーティング層９００が偏光ガラス２００の表面に形成されるため、偏光ガラス２００そのものを、より一層カバーガラスとしてとして使用しやすくなる。従って、カバーガラスを別途形成する必要がより一層なくなるため、上述したように、液晶装置１の薄型化及び軽量化を好適に図ることができる。
【００７５】
加えて、偏光ガラス２００をカバーガラスとして使用した場合に、最表面にＡＲやＡＧのコートがされていることとなり、最表面での外光の反射を抑制でき、表示品質を向上することができる。また、通常のカバーガラスでは樹脂材料を使用しているために、温度等の製造上の制約により表面処理に制約が生じるが、偏光ガラス２００上に表面処理を行うため、効果の高い表面処理や耐久性のある表面処理とすることができる。
【００７６】
尚、上述した第１実施形態から第５実施形態の夫々に係る液晶装置を適宜組み合わせるように構成してもよい。このように構成しても、上述した各種効果を享受することができることは言うまでもない。
【００７７】
また、上述した実施形態では液晶パネルとして、ＴＮ（ツイスト・ネマティック）、ＥＣＢ（複屈折電界効果）、ＶＡ（垂直配向）などの縦電界の構成として記載しているが、ＩＰＳ（イン・プレーン・スイチッチング）及びＦＦＳ（フリンジ・フィールド・スイッチング）としても、上述した各種効果を享受できる。
【００７８】
（６）電子機器
続いて、図８及び図９を参照しながら、上述の液晶装置１を具備してなる電子機器の例を説明する。
【００７９】
図８は、上述した液晶装置が適用されたモバイル型のパーソナルコンピュータの斜視図である。図８において、コンピュータ１２００は、キーボード１２０２を備えた本体部１２０４と、上述した液晶装置１を含んでなる液晶表示ユニット１２０６とから構成されている。液晶表示ユニット１２０６は、液晶パネル１００の背面にバックライトを付加することにより構成されている。
【００８０】
次に、上述した液晶装置１を携帯電話に適用した例について説明する。図９は、電子機器の一例である携帯電話の斜視図である。図９において、携帯電話１３００は、複数の操作ボタン１３０２とともに、反射型の表示形式を採用し、且つ上述した液晶装置１と同様の構成を有する液晶装置１００５を備えている。
【００８１】
これらの電子機器においても、上述した液晶装置１を含んでいるため、上述した各種効果を好適に享受することができる。
【００８２】
尚、図８及び図９を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置や、液晶プロジェクタ等の投射型の表示装置等が挙げられる。そして、これらの各種電子機器に適用可能なのは言うまでもない。
【００８３】
本発明は、上述した実施例に限られるものではなく、請求の範囲及び明細書全体から読み取れる発明の要旨或いは思想に反しない範囲で適宜変更可能であり、そのような変更を伴なう液晶装置及び電子機器もまた本発明の技術的範囲に含まれるものである。
【図面の簡単な説明】
【００８４】
【図１】第１実施形態に係る液晶パネルの構成を示す平面図である。
【図２】図１のＨ−Ｈ’断面図である。
【図３】第１実施形態に係る液晶装置の断面図である。
【図４】第２実施形態に係る液晶装置の断面図である。
【図５】第３実施形態に係る液晶装置の断面図である。
【図６】第４実施形態に係る液晶装置の断面図である。
【図７】第５実施形態に係る液晶装置の断面図である。
【図８】液晶装置が適用されたモバイル型のパーソナルコンピュータの斜視図である。
【図９】液晶装置が適用された携帯電話の斜視図である。
【符号の説明】
【００８５】
１０…ＴＦＴアレイ基板、２０…対向基板、５０…液晶層、１００…液晶パネル、２００、２０１…偏光ガラス、３００、３０１…光学接着層、４００…粘着層、５００…偏光板、６００…粘着層、７００…位相差板、８００…位相差膜、９００…コーティング層
【図１】
2009058620.tif 000003
【図２】
2009058620.tif 000004
【図３】
2009058620.tif 000005
【図４】
2009058620.tif 000006
【図５】
2009058620.tif 000007
【図６】
2009058620.tif 000008
【図７】
2009058620.tif 000009
【図８】
2009058620.tif 000010
【図９】
2009058620.tif 000011